(57)【要約】【課題】  、ヘッドシャワー部１７に逆止弁１９が内蔵されている場合でも、ヘッドシャワー部１７内の残水を排出することができるシャワー装置１を提供する。【解決手段】湯水混合部７から上方に延びる筒状のパイプ５と、この筒状のパイプ内に設けられ、前記湯水混合部から供給された混合水が流れる通水パイプ２０と、前記筒状のパイプの上端に水平方向に旋回可能に取付けられたヘッドシャワー部１７と、前記ヘッドシャワー部を旋回可能に支持すると共に、下端が前記通水パイプ内に挿入されて前記通水パイプから前記ヘッドシャワー部へ向けて混合水を供給するヘッドシャワー用通水パイプ２１が内蔵された旋回ユニット部２２と、前記通水パイプ内の水を排出可能な水抜部３０と、前記ヘッドシャワー部内に設けられた逆流防止部と１９、前記ヘッドシャワー用通水パイプの下端の表面張力を破壊する表面張力破壊部６と、からなることを特徴とする。【選択図】  図３
2010029573.tif 000002
【特許請求の範囲】
【請求項１】
給水管および給湯管から供給された湯水を混合する湯水混合部と、
この湯水混合部から上方に延びる筒状のパイプと、
この筒状のパイプ内に設けられ、前記湯水混合部から供給された混合水が流れる通水パイプと、
前記筒状のパイプの上端に水平方向に旋回可能に取付けられたヘッドシャワー部と、
前記ヘッドシャワー部を旋回可能に支持すると共に、下端が前記通水パイプ内に挿入されて前記通水パイプから前記ヘッドシャワー部へ向けて混合水を供給するヘッドシャワー用通水パイプが内蔵された旋回ユニット部と、
前記通水パイプ内の水を排出可能な水抜部と、
前記ヘッドシャワー部内に設けられた逆流防止部と、
前記ヘッドシャワー用通水パイプの下端の表面張力を破壊する表面張力破壊部と、
からなることを特徴とするシャワー装置。
【請求項２】
前記ヘッドシャワー用通水パイプは前記ヘッドシャワー部と共に旋回可能であり、そのヘッドシャワー用通水パイプは旋回軸受け部を介して前記通水パイプに嵌めこまれており、前記表面張力破壊部は、前記ヘッドシャワー用通水パイプの下部が前記旋回軸受け部よりも下方に延びてその周面に横孔が形成されていることにより構成されていることを特徴とする請求項１記載のシャワー装置。
【発明の詳細な説明】
【技術分野】
【０００１】
本発明は、浴室等の壁面に固定された筒状パイプの上端にヘッドシャワー部を取り付けたシャワー装置に関する発明である。 
【背景技術】
【０００２】
従来のシャワー装置として、浴室に壁面の鉛直方向に沿って通水路が形成されたパイプが固定されており、そのパイプの上端にヘッドシャワーノズルが取り付けられて、このヘッドシャワーノズルから使用者の頭上から全身に向けて吐水させるシャワー装置が知られている。（例えば、特許文献１参照。）。
【０００３】
この特許文献１のシャワー装置においては、パイプ内の通水路の途中に設けられた前記ヘッドシャワーとハンドシャワーとの吐水切替機構に水抜機構が設けられている。そして、この水抜機構は、ヘッドシャワーからの吐水停止時にはヘッドシャワーからの水を排出（水抜き）できるように切替機構のヘッドシャワーへ繋がる通水路が大気開口する構成であり、ヘッドシャワー内に残水が発生しないように構成されている。
【０００４】
一方、ヘッドシャワーとして、その吐水停止操作時に短時間で吐水が停止して水仕舞いを良くするために、ヘッドシャワーに逆止弁を設けておき、止水時にその逆止弁より上流側の水がヘッドシャワーから流れ出ることを防ぐようにしたものが知られている。このヘッドシャワーにおいては、水抜時にヘッドシャワーの散水口からの空気吸入がヘッドシャワー内の逆止弁よりも上流側に入ってこず、また、パイプ内のヘッドシャワーへ向かう通水路が細くてそこに水が溜まって水抜機構部からも空気を吸い込むこともできないため、ヘッドシャワーへ向かう通水路内の残水が抜けないことがあった。
【特許文献１】特開２００４−２３６７５６号公報
【発明の開示】
【発明が解決しようとする課題】
【０００５】
本発明は、上記問題を解決するためになされたもので、本発明の課題は、ヘッドシャワーに逆止弁が内蔵されている場合でも、ヘッドシャワー内の残水を排出することができるシャワー装置を提供することを目的とする。
【課題を解決するための手段】
【０００６】
上記目的を達成するために請求項１記載のシャワー装置においては、給水管および給湯管から供給された湯水を混合する湯水混合部と、この湯水混合部から上方に延びる筒状のパイプと、この筒状のパイプ内に設けられ、前記湯水混合部から供給された混合水が流れる通水パイプと、前記筒状のパイプの上端に水平方向に旋回可能に取付けられたヘッドシャワー部と、前記ヘッドシャワー部を旋回可能に支持すると共に、下端が前記通水パイプ内に挿入されて前記通水パイプから前記ヘッドシャワー部へ向けて混合水を供給するヘッドシャワー用通水パイプが内蔵された旋回ユニット部と、前記通水パイプ内の水を排出可能な水抜部と、前記ヘッドシャワー部内に設けられた逆流防止部と、前記ヘッドシャワー用通水パイプの下端の表面張力を破壊する表面張力破壊部と、からなることを特徴とする。
【０００７】
本発明によれば、ヘッドシャワー用通水パイプの下端に表面張力破壊部が設けられているため、水抜部によって通水パイプ内の水を排出する際に、ヘッドシャワー部内に逆流防止部が設けられていてヘッドシャワー部側からの空気吸入がなくても、ヘッドシャワー用通水パイプの下端の表面張力が破壊されてヘッドシャワー用通水パイプの下端から空気が吸い込まれ、このヘッドシャワー用通水パイプ内の水の排出を促して、ヘッドシャワー用通水パイプ内、更には、ヘッドシャワー部内の逆流防止部よりも上流側の残水を少なくすることができる。
【０００８】
また、本発明によれば、前記ヘッドシャワー用通水パイプは前記ヘッドシャワー部と共に旋回可能であり、そのヘッドシャワー用通水パイプは旋回軸受け部を介して前記通水パイプに嵌めこまれており、前記表面張力破壊部は、前記ヘッドシャワー用通水パイプの下部が前記旋回軸受け部よりも下方に延びてその周面に横孔が形成されていることにより構成されていることを特徴とする。
従って、ヘッドシャワー用通水パイプの下方は旋回軸受け部の厚み分の隙間を介して通水パイプと対向することになり、その隙間に向けた横孔をヘッドシャワー用通水パイプに設けておくことより表面張力破壊部が構成されているため、シャワーヘッド用通水パイプの横穴を穿つだけで簡単に表面張力破壊部を構成することができる。
【発明の効果】
【０００９】
本発明によれば、ヘッドシャワー部に逆止弁が内蔵されている場合でも、ヘッドシャワー部内の残水を排出することができるシャワー装置を提供することができる。
【発明を実施するための最良の形態】
【００１０】
以下に図面を参照して本発明をより具体的に説明する。
図１に本発明のシャワー装置１の外観図を示す。
このシャワー装置１は、上下方向に伸び延設する１本の薄肉円筒形状のパイプ５に、湯水混合部７と複数の吐水部を備えている。そして、このパイプ５は、全長に亘り、ほぼ同一径の外観形状としており、かつ、内径は湯水混合部７の外径と略同一径としている。このような構成とすることで湯水混合部７と各吐水部とを一体感のある外観で構成した斬新なシャワー装置を提供できる。
【００１１】
図１のシャワー装置１においては、吐水部は、ハンドシャワーノズル２とボディシャワーノズル３とヘッドシャワーノズル４から構成されている。湯水混合部７の下方には温度調整ハンドル８を設け、各吐水部は湯水混合部７の上方に位置するように構成されている。
【００１２】
図２は、湯水混合部７から各吐水部までの通水経路を示す図である。この図２のように、給水管９と給湯管１０の接続部から流れてきた湯水が湯水混合部７で適温に混合されて、この湯水混合部７から各吐水部まで供給される。図２では、壁面から給水管９と給湯管１０を室内に取り込んだ場合を示しているが、床から給水管９と給湯管１０を立ち上げた場合も同様である。
【００１３】
まず、給水管９と給湯管１０の接続部から供給された湯水は、湯水混合部７で混合される。また、この湯水混合部７の下方に隣接して配置した温度調整ハンドル８を周方向に回転させて湯温を調整する。この湯水混合部７で適温になった混合水は、各吐水部２、３、４の各流量調整弁まで各通水路Ａ、Ｂ、Ｃを経由して送られる。つまり、湯水混合部７から出た湯水はハンドシャワーノズル２用の通水路Ａとボディシャワーノズル３用およびヘッドシャワーノズル４用の通水路Ｂとに分岐されている。さらにボディシャワーノズル３を設けたパイプ５部において、ヘッドシャワーノズル４用の通水路Ｃに分岐される。そして各流量調整弁を開くことで、それに連通した吐水部から吐水開始される。
【００１４】
湯水混合部７ならびに各吐水部、さらに各吐水部２、３、４への通水路Ａ、Ｂ、Ｃはユニットとして形成している。このように各ユニットにて構成されているため、必要な吐水部だけを選択して湯水混合部７に接続することができる。そのため、図１のように、吐水部としてハンドシャワーノズル２とボディシャワーノズル３とヘッドシャワーノズル４を選択したり、使用者の好みによって吐水部を選択して簡単に組み立てることができるのである。
【００１５】
次に図１及び図２を用いて、湯水混合部７と各吐水部の具体的な構成を説明する。湯水混合部７は、周知のサーモスタット混合栓と同様に構成されている。給水管９と給湯管１０の接続部は上下方向（縦方向）にパイプ５に配置されている。さらに、この湯水混合部７を長手方向が縦向きになるようにパイプ５内に配置している。また、この湯水混合部７の外径とパイプ５との内径を略同一としている。そして、このパイプ５の全長の径をほぼ変えることなく、１本のパイプ５を形成している。
【００１６】
なお、１本のパイプ５とは、途中で継ぎ足して複数のパイプを接続したものも含む。このシャワー装置１においては、各ユニット毎に構成し、それを各パイプに組み付け、それらのパイプ５をさらに縦方向に積み上げて１つのシャワー装置１を構成している。
【００１７】
さて、給水管９および給湯管１０の接続部から湯および水が湯水混合部７に送られて適温になり、さらに湯水混合部７の上方に位置する吐水部へと送られる。湯水調整は、湯水混合部７の下方に設けた温度調整ハンドル８を周方向に回転させて行う。湯水混合部７の上方に位置する吐水部（ボディシャワーノズル３、ヘッドシャワーノズル４）へはパイプ５の内部の通水路Ｂ、Ｃを経由して送られ、湯水混合部７から水平方向に位置するハンドシャワー吐水部１３へは通水部Ａを経由して、ハンドシャワーノズル２へ送られる。
【００１８】
次に吐水部について説明する。
吐水部は、ハンドシャワーノズル２、ボディシャワーノズル３、ヘッドシャワーノズル４から構成しているが、他に通常のカラン吐水部を追加していもよく、また、ボディーシャワーやハンドシャワーはなくしてもよい。
【００１９】
まず、ハンドシャワーノズル２について説明する。
図１，図２に示すように、ハンドシャワーノズル２は、湯水混合部７からシャワー装置１本体のパイプ５から水平方向に膨出するようにハンドシャワー分岐部１１を設けている。このハンドシャワー分岐部１１の先端には、ハンドシャワー流量調整ハンドル１２を有している。このハンドシャワー流量調整ハンドル１２に連動してシリンダ弁などの流量調整弁１２ａ（図示しない）が開閉し、吐水・止水および流量の調整を行うことができる。
【００２０】
このようにパイプ５の近傍であるハンドシャワー分岐部１１の先端にハンドシャワー流量調整ハンドル１２を設けているため、立ち上がった状態でハンドシャワー流量調整ハンドル１２を操作することはもちろん、風呂椅子に座った状態であってもハンドシャワー流量調整ハンドル１２に楽な姿勢でアプローチし、ハンドシャワーノズル２から吐水を行うことができる。
【００２１】
ハンドシャワーノズル２への通水は、ハンドシャワー分岐部１１から下側に突出したハンドシャワー供給部１３を設け、このハンドシャワー供給部１３にシャワーホース１４の一端を接続し、そのシャワーホース１４の他端にハンドシャワーノズル２に接続している。このハンドシャワーノズル２には、複数の吐水形態が選択できるように吐水切替操作部（図示せず）を有している。また、ハンドシャワーノズル２には、止水・吐水を切り替えることのできる操作ボタン２ａが握手部に設けられている。
【００２２】
次に、図１，図２を用いて、湯水混合部７よりも上方に位置する吐水部（ボディシャワーノズル３、ヘッドシャワーノズル４）について説明する。
まず、ボディシャワーノズル３について説明する。ボディシャワーノズル３は立った状態で、上半身の縦方向の広範囲に吐水を行うためのものである。そのため、図１に示すようにこのボディシャワーノズル３は、パイプ５の中間部であるヘッドシャワー流量調整ハンドル１６とボディシャワーノズル用流量調整ハンドル１５との間の前方に上下に複数のボディシャワーノズル３を形成することで構成されている。
【００２３】
また、図２に示すように湯水混合部７で温度調整された混合水は通水経路Ｂを通ってボディシャワー流量調整ハンドル１５（流量調整弁１５ａ）に通水される。なお、流量調整弁１５ａ（図示しない）は、シリンダ弁から構成されており、ボディシャワー用流量調整ハンドル１５（流量調整弁１５ａ）を経由して、ボディシャワーノズル３へと通水される。
【００２４】
次に、ヘッドシャワーノズル４からの吐水について説明する。
図１，図２に示すように、ヘッドシャワーノズル用流調ハンドル１６はシャワー装置１のパイプ５の中間に配置して、使用者が立った状態でアプローチしやすい位置に配置している。湯水混合部７で温度調整された混合水は通水経路Ｂを通ってボディシャワー流量調整ハンドル１５（流量調整弁１５ａ）に通水される一方、ボディシャワー流量調整ハンドル１５（流量調整弁１５ａ）を回避して、その外周に形成された通水路１５ｂを通ってヘッドシャワー用流量調整ハンドル１６（流量調整弁１６ａ）に通水される。そして、ヘッドシャワー用流量調整ハンドル１６（流量調整弁１６ａ）にて吐水・止水および流量を調整する。
【００２５】
図３にヘッドシャワーノズル４近傍の断面図を示す。
この図３に示すように、ヘッドシャワーノズル４はヘッドシャワー部１７先端に位置する円盤状の散水板であり、内部に大きく３つの吐水群１８を配置している。この吐水群１８はすべて同じ吐水形態としても、また、すべて異なる吐水形態としてもよい。さらに、この吐水形態を１つずつ選択できるようにしてもよく、さらには、この吐水群の吐水方向を変えられるようにしてもよい。
【００２６】
ヘッドシャワー部１７は、シャワー装置１本体のパイプ５の上端に設けられていて水平方向に伸びる旋回パイプ１７ａと、この旋回パイプ１７ａの先端取り付けられたヘッドシャワーノズル４とから成る。そして、この旋回パイプ１７ａとヘッドシャワーノズル４との接続部には、ヘッドシャワーノズル４の水切れを良好にするための逆流防止部（逆止弁）１９が備えらている。この逆止弁１９はヘッドシャワーノズル４から旋回パイプ１７ａに向けた湯水の逆流を阻止するものであり、流量調整弁１６ａの止水時において旋回パイプ１７ａ側の圧力が大気圧よりも低くなることによって、ヘッドシャワーノズル４と旋回パイプ１７ａの連通を閉じることによって、旋回パイプ１７ａ内の残水がヘッドシャワーノズル４へ流れることがなく、ヘッドシャワーノズル４からの吐水が短時間で停止することが可能となっている。
【００２７】
パイプ５の上端の内部には、ヘッドシャワー部１７の旋回パイプ１７ａをパイプ５に対して旋回可能に支持すると共に、通水パイプ２０からヘッドシャワー部１７へ向けて混合水を供給するヘッドシャワー用通水パイプ２１が形成された旋回ユニット部２２を配置している。
【００２８】
図４に旋回ユニット部２２の分解図を示す。旋回ユニット部２２は、前述したようにヘッドシャー部へ向けた通水が行われるヘッドシャワー用通水パイプ２１、このヘッドシャワー用通水パイプ２１の上端（下流側の流出口）が固定されると共に旋回パイプ１７ａの後端（上流側の入水口）が固定されるヘッドシャワー継手２５、ヘッドシャワー用通水パイプ２１を回動自在に支持する固定継手２６、この固定継手２６とヘッドシャワー継手２５との間に設けられたスリップワッシャ２７、ヘッドシャワー用通水パイプ２１と固定継手２６との間の水密を保つためのＯリング２８、２９からなる。ヘッドシャワー用通水パイプ２１はヘッドシャワー継手２５に螺着された後にネジロックによって固定されており、固定継手２６に対して一体的に回動可能となっている。
【００２９】
図５にシャワー装置１の図３におけるＶ―Ｖ線における旋回ユニット部２２の断面図を示す。
ヘッドシャワー継手２５および固定継手２６は、それぞれ円弧状に突設されたヘッドシャワー旋回角度規制部２５ａ、２６ａを有しており、シャワー装置１の組立状態においてそれらが対向して当接することにより、ヘッドシャワー部１７を所定角度範囲で旋回可能にしている。
【００３０】
図３に示すように、ヘッドシャワー用通水パイプ２１と固定継手２６とは旋回軸受け部２３に収納され、この旋回軸受け部２３を介して通水パイプ２０に嵌め込まれている。この旋回軸受け部２３はパイプ５を貫通するビス（図示せず）により固定されており、そして、この旋回軸受け部２３に対して固定継手２６とも回転不能に固定されている。
【００３１】
前記ヘッドシャワー用通水パイプ２１下部は前記旋回軸受け部２３よりも下方に延びてその周面に一対の横孔２４が形成されている。このように、前記横孔２４が旋回軸受け部２３よりも下方に延びて、さらに通水パイプ２０内に突出させることで、ヘッドシャワー用通水パイプ２１の通水パイプ２０の内壁面とは前記旋回軸受け部２３の厚み分だけ離れた位置に開口面積が広い横孔２４を構成することができ、ヘッドシャワー用通水パイプ２１の下端の流入口とは別にこにように開口面積が広い横孔２４が存在することによって、ヘッドシャワー用通水パイプ２１の下端における表面張力を小さくしてこのヘッドシャワー用通水パイプ２１内に混合水が充満していても下端から排出されるような表面張力破壊部６を構成している。
【００３２】
さらにシャワー装置１はヘッドシャワーノズル用流調ハンドル１６の上方の使用者が立った状態でアプローチしやすい位置に、パイプ５内の通水パイプから分岐し、シャワー装置１本体の背面側にヘッドシャワー部１７内の水を排出する水抜部３０を有しており、良好な操作性を有する。
【００３３】
この水抜部３０は、冬場に凍結されることが予想される場所においても、シャワー装置１本体およびヘッドシャワー部１７が、通水路内の残水の凍結による破損を回避するために、通水路内の残水を排出させることを目的とする。
【００３４】
従来のシャワー装置１本体は、シャワーヘッド部１７に逆流防止部（逆止弁）１９を備えることにより、止水時のヘッドシャワーノズル部４の水切れ（水仕舞い）がよい反面、水抜部３０による水抜時にヘッドシャワーノズル部４からの空気吸入がヘッドシャワー部１７内の逆流防止部（逆止弁）１９よりも上流側である旋回パイプ１７ａに入ってこず、また、通水パイプ２０内のヘッドシャワー部１７へ向かうヘッドシャワー用通水パイプ２１が細いため、そこに水が溜まって水抜部３０からの空気を吸い込むことができず、ヘッドシャワー部１７内およびヘッドシャワー用通水パイプ２１内の残水が抜けないことがあったが、本発明のシャワー装置１においては表面張力破壊部６を設けることにより、ヘッドシャワー用通水パイプ２１下方の表面張力を壊すことが可能となり、水抜部３０を操作によりヘッドシャワー用通水パイプ２１の下端から空気が吸い込まれ、このヘッドシャワー用通水パイプ２１内の水の排出を促して、ヘッドシャワー用通水パイプ２１内、更には、ヘッドシャワー部１７内の逆流防止部よりも上流側に位置する旋回パイプ１７ａ内の残水を排出することができ、冬場の凍結破損を回避することが可能となる。
【００３５】
なお、上記水抜部３０の下方の水抜きについては、図示はしていないが給水管９および給湯管１０部に水抜栓を別途配置することで水抜き操作を実施するものである。
【００３６】
一方、上記のような表面張力破壊部６を持たない構造の場合には、水抜き操作を行う際にシャワーヘッド部１７内の逆流防止部１９を開放する方法もあるが、逆流防止部１９の構造が複雑になると共に、水抜操作部もヘッドシャワーノズル４よりも更に高所に設ける必要があり、操作性が格段に悪くなるものである。
【図面の簡単な説明】
【００３７】
【図１】本発明のシャワー装置１の外観図である。
【図２】湯水混合部から各吐水部までの通水経路を示す図である。
【図３】ヘッドシャワーノズル近傍の断面図である。
【図４】旋回ユニット部の分解図である。
【図５】旋回ユニット部の断面図である。
【符号の説明】
【００３８】
１  シャワー装置
５  筒状のパイプ
６  表面張力破壊部
７  湯水混合部
１７  ヘッドシャワー部
１９  逆止弁（逆流防止部）
２０  通水パイプ
２１  ヘッドシャワー用通水パイプ
２２  旋回ユニット部
２３  旋回軸受け部
２４  横孔
３０  水抜部
【図１】
2010029573.tif 000003
【図２】
2010029573.tif 000004
【図３】
2010029573.tif 000005
【図４】
2010029573.tif 000006
【図５】
2010029573.tif 000007